(57)【要約】【課題】複数の被写体を撮影する際は各被写体に最適な合焦・露出で被写体毎に撮影を行い、ユーザの好みの画像を保存記録すること。【解決手段】被写体を撮影して画像データを生成して、画像データから所定の対象物を検出する。検出された所定の対象物毎に露出条件と合焦位置を決定する。そして、１回の撮影操作に応じて、検出された所定の対象物毎に決定された露出条件及び合焦位置に従って各対象物の撮影を行い、該撮影によって生成された各対象物の画像データを記憶する。更に画像データをモニタ等に表示し、保存記録を行う画像としてユーザによって選択された画像に対応する画像データを保存記録する。【選択図】図７
2007311861.tif 000002
【特許請求の範囲】
【請求項１】
被写体を撮影して画像データを生成する撮影手段と、
前記画像データから所定の対象物を検出する対象物検出手段と、
前記検出された所定の対象物毎に露出条件を決定する露出条件決定手段と、
前記検出された所定の対象物毎に合焦位置を決定する合焦位置決定手段と、
１回の撮影操作に応じて、前記検出された所定の対象物毎に決定された前記露出条件及び前記合焦位置に従って前記撮影手段に前記各対象物の撮影を行わせ、該撮影によって生成された前記各対象物の画像データを記憶手段に記憶する撮影制御手段と、
を備えたことを特徴とする撮影装置。
【請求項２】
前記記憶手段は、前記画像データを一時記憶するものであり、
前記記憶手段に一時記憶された前記画像データの示す画像を表示する表示手段と、
前記表示された画像の保存記憶を行うか否かを入力する入力手段と、
前記保存記憶を行うとして入力された画像に対応する前記画像データのみを保存記憶する保存手段と、
を更に備えたことを特徴とする請求項１に記載の撮影装置。
【請求項３】
前記検出された所定の対象物が複数あるとき、前記合焦位置決定手段は、前記検出された所定の対象物のうち最も近い対象物の位置より所定距離至近側の位置から、最も遠い対象物の位置より所定距離無限遠側の位置までの範囲について合焦評価値を算出して、前記各対象物の合焦位置を決定するものであることを特徴とする請求項１又は２に記載の撮影装置。
【請求項４】
前記対象物は人物の顔又は目であることを特徴する請求項１〜３の何れか一項に記載の撮影装置。
【請求項５】
被写体を撮影して画像データを生成し、
前記画像データから所定の対象物を検出し、
前記検出された所定の対象物毎に露出条件を決定し、
前記検出された所定の対象物毎に合焦位置を決定し、
１回の撮影操作に応じて、前記検出された所定の対象物毎に決定された前記露出条件及び前記合焦位置に従って前記各対象物の撮影を行うことを特徴とする撮影方法。
【発明の詳細な説明】
【技術分野】
【０００１】
本発明は、自動露出機構及び自動合焦機構を備えたデジタルカメラ等の撮影装置及び撮影方法に関するものである。
【背景技術】
【０００２】
自動露出（ＡＥ）機構や自動合焦（ＡＦ）機構を備えたデジタルカメラやデジタルビデオカメラ等の撮影装置が近年多く普及している。このようなＡＥ機構及びＡＦ機構においては、特許文献１に記載されているように、取得した画像データから肌色を検出することによって人物の位置を判別して露出条件や合焦位置を決定する技術が知られている。
【特許文献１】平１１−１４６４０５号公報
【発明の開示】
【発明が解決しようとする課題】
【０００３】
しかしながら、特許文献１に記載された技術を採用したものも含む多くの撮影装置では、撮影したい人物が複数いる際に、何れか１人に対してのみ露出制御がなされて合焦位置の決定が行われるため、他の人物に対するピントがずれて撮影されてしまい、ユーザの意図しない撮影画像となってしまう問題があった。
【０００４】
本発明は、上記事情を鑑みてなされたものであり、被写体が複数であっても、ユーザの好みの撮影画像を得ることができる撮影装置及び方法を提供することを目的とする。
【課題を解決するための手段】
【０００５】
以上の課題を解決するために、本発明における撮影装置は、被写体を撮影して画像データを生成する撮影手段と、前記画像データから所定の対象物を検出する対象物検出手段と、前記検出された所定の対象物毎に露出条件を決定する露出条件決定手段と、前記検出された所定の対象物毎に合焦位置を決定する合焦位置決定手段と、１回の撮影操作に応じて、前記検出された所定の対象物毎に決定された前記露出条件及び前記合焦位置に従って前記撮影手段に前記各対象物の撮影を行わせ、該撮影によって生成された前記各対象物の画像データを記憶手段に記憶する撮影制御手段と、を備えたことを特徴とする。
【０００６】
また、前記記憶手段は、前記画像データを一時記憶するものであり、前記記憶手段に一時記憶された前記画像データの示す画像を表示する表示手段と、前記表示された画像の保存記憶を行うか否かを入力する入力手段と、前記保存記憶を行うとして入力された画像に対応する前記画像データのみを保存記憶する保存手段と、を更に備えたこととしてもよい。
【０００７】
また、前記検出された所定の対象物が複数あるとき、前記合焦位置決定手段は、前記検出された所定の対象物のうち最も近い対象物の位置より所定距離至近側の位置から、最も遠い対象物の位置より所定距離無限遠側の位置までの範囲について合焦評価値を算出して、前記各対象物の合焦位置を決定するものであることとしてもよい。
【０００８】
また、前記対象物は人物の顔又は目であることとしてもよい。
【０００９】
更に、本発明における撮影方法は、被写体を撮影して画像データを生成し、前記画像データから所定の対象物を検出し、前記検出された所定の対象物毎に露出条件を決定し、前記検出された所定の対象物毎に合焦位置を決定し、１回の撮影操作に応じて、前記検出された所定の対象物毎に決定された前記露出条件及び前記合焦位置に従って前記撮影手段に前記各対象物の撮影を行い、該撮影によって生成された前記各対象物の画像データを記憶手段に記憶することを特徴とする。
【発明の効果】
【００１０】
被写体が複数いる場合、従来は何れか１人の人物に基づいて露出条件及び合焦位置が決定していたため、他の人物に対する露出やピントが合っていないことがあった。しかし、本発明を適用すれば、検出された対象物毎に合焦位置及び撮影条件が決定され、各合焦位置及び各撮影条件に従って対象物毎に撮影が行われ、撮影により得られた画像データのうち保存記録する画像を入力手段によりユーザが選択可能であるため、ユーザは好みの画像を保存記録することができる。具体的には、例えば複数の被写体を画角に入れて撮影する場合に、ユーザは特定の被写体に最もピントが合っており最適露出を示す画像を選択して保存記録することができる。
【００１１】
また、検出された所定の対象物が複数あるとき、検出された所定の対象物のうち最も近い対象物の位置より所定距離至近側の位置から、最も遠い対象物の位置より所定距離無限遠側の位置までの範囲について合焦評価値を算出して、各対象物の合焦位置を決定することにより、合焦位置の決定にかかる時間を削減することができる。
【発明を実施するための最良の形態】
【００１２】
〔第１の実施の形態〕
以下、図面を参照して本発明の実施の形態を説明する。尚、以下の実施の形態では、本発明における撮影装置としてデジタルカメラを例に説明するが、本発明の適用範囲はこれに限定されず、例えば、デジタルビデオカメラ、カメラ付き携帯電話、カメラ付きＰＤＡ等、電子撮像機能を備えた他の電子機器に対しても適用可能である。
【００１３】
図１及び２は、デジタルカメラの一例を示すものであり、それぞれ背面側及び前面側から見た外観図である。図１に示すように、デジタルカメラ１の本体１０の背面には、撮影者による操作のためのインターフェースとして、動作モードスイッチ１１、メニュー／ＯＫボタン（入力手段）１２、ズーム／上下レバー１３、左右ボタン１４、Ｂａｃｋ（戻る）ボタン１５、表示切替ボタン１６が設けられ、更に撮影のためのファインダ１７、撮影並びに再生のためのモニタ（表示手段）１８及びシャッタボタン１９が設けられている。
【００１４】
動作モードスイッチ１１は、静止画撮影モード、動画撮影モード、再生モードの各動作モードを切り替えるためのスライドスイッチである。メニュー／ＯＫボタン１２は、押下される毎に撮影モード、フラッシュ発光モード、記録画素数や感度等の設定を行うための各種メニューをモニタ１８に表示させたり、モニタ１８に表示されたメニューに基づく選択・設定を決定するためのボタンである。
【００１５】
ズーム／上下レバー１３は、上下方向に倒すことによって、撮影時には望遠／広角の調整が行われ、各種設定時にはモニタ１８に表示されるメニュー画面中のカーソルが上下に移動して表示される。左右ボタン１４は、各種設定時にモニタ１８に表示されるメニュー画面中のカーソルを左右に移動して表示させるためのボタンである。
【００１６】
Ｂａｃｋ（戻る）ボタン１５は、押下されることによって各種設定操作を中止し、モニタ１８に１つ前の画面を表示するためのボタンである。表示切替ボタン１６は、押下することによってモニタ１８の表示のＯＮ／ＯＦＦ、各種ガイド表示、文字表示のＯＮ／ＯＦＦ等を切り替えるためのボタンである。ファインダ１７は、ユーザが被写体を撮影する際に構図やピントを合わせるために覗くためのものである。ファインダ１７から見える被写体像は、本体１０の前面にあるファインダ窓２３を介して映し出される。
【００１７】
以上説明した各ボタン及びレバーの操作によって設定された内容は、モニタ１８中の表示や、ファインダ１７内のランプ、スライドレバーの位置等によって確認可能となっている。また、モニタ１８には、撮影の際に被写体確認用のスルー画が表示される。これにより、モニタ１８は電子ビューファインダとして機能する他、撮影後の静止画や動画の再生表示、各種設定メニューの表示を行う。ユーザによってシャッタボタン１９が操作されると、決定された露出、合焦位置に基づいて撮影が行われ、モニタ１８に表示された画像が撮影画像として記録される。
【００１８】
更に、図２に示すように、本体１０の前面には、撮影レンズ２０、レンズカバー２１、電源スイッチ２２、ファインダ窓２３、フラッシュライト２４及びセルフタイマーランプ２５が設けられ、側面にはメディアスロット２６が設けられている。
【００１９】
撮影レンズ２０は、被写体像を所定の結像面上（本体１０内部にあるＣＣＤ等）に結像させるためのものであり、フォーカスレンズやズームレンズ等によって構成される。レンズカバー２１は、デジタルカメラ１の電源がオフ状態のとき、再生モードであるとき等に撮影レンズ２０の表面を覆い、汚れやゴミ等から撮影レンズ２０を保護するものである。電源スイッチ２２は、デジタルカメラ１の電源のオン／オフを切り替えるためのスイッチである。フラッシュライト２４は、シャッタボタン１９が押下され、本体１０の内部にあるシャッタが開いている間に、撮影に必要な光を被写体に対して瞬間的に照射するためのものである。セルフタイマーランプ２５は、セルフタイマーによって撮影する際に、シャッタの開閉タイミングを被写体に知らせるためものである。メディアスロット２６は、メモリカード等の外部記録メディア７０が充填されるための充填口であり、外部記録メディア７０が充填されると、データの読み取り／書き込みが行われる。
【００２０】
図３は、デジタルカメラ１の機能構成を示すブロック図である。デジタルカメラ１の操作系として、前述の動作モードスイッチ１１、メニュー／ＯＫボタン１２、ズーム／上下レバー１３、左右ボタン１４、Ｂａｃｋ（戻り）ボタン１５、表示切替ボタン１６、シャッタボタン１９、電源スイッチ２２と、これらのスイッチ、ボタン、レバー類の操作内容をＣＰＵ７５に伝えるためのインターフェースである操作系制御部７４が設けられている。
【００２１】
また、撮影レンズ２０を構成するものとして、フォーカスレンズ２０ａ及びズームレンズ２０ｂが設けられている。これらの各レンズは、モータとモータドライバからなるフォーカスレンズ駆動部５１、ズームレンズ駆動部５２によってステップ駆動され、光軸方向に移動可能な構成となっている。フォーカスレンズ駆動部５１は、ＡＦ処理部６２から出力されるフォーカス駆動量データに基づいてフォーカスレンズ２０ａをステップ駆動する。ズームレンズ駆動部５２は、ズーム／上下レバー１３の操作量データに基づいてズームレンズ２０ｂのステップ駆動を制御する。
【００２２】
絞り５４は、モータとモータドライバとからなる絞り駆動部５５によって駆動される。この絞り駆動部５５は、ＡＥ（自動露出）／ＡＷＢ（オートホワイトバランス）処理部（露出条件決定手段）６３から出力される絞り値データに基づいて絞り５４の絞り径の調整を行う。
【００２３】
シャッタ５６は、メカニカルシャッタであり、モータとモータドライバとからなるシャッタ駆動部５７によって駆動される。シャッタ駆動部５７は、シャッタボタン１９の押下信号と、ＡＥ／ＡＷＢ処理部６３から出力されるシャッタ速度データとに応じてシャッタ５６の開閉の制御を行う。
【００２４】
上記光学系の後方には、撮影素子であるＣＣＤ（撮影手段）５８を有している。ＣＣＤ５８は、多数の受光素子がマトリクス状に配置されてなる光電面を有しており、光学系を通過した被写体像が光電面に結像され、光電変換される。光電面の前方には、各画素に光を集光させるためのマイクロレンズアレイ（不図示）と、ＲＧＢ各色のフィルタが規則的に配列されてなるカラーフィルタアレイ（不図示）とが配置されている。ＣＣＤ５８は、ＣＣＤ制御部５９から供給される垂直転送クロック信号及び水平転送クロック信号に同期して、画素毎に蓄積された電荷を１ラインずつ読み出して画像信号として出力する。各画素における電荷の蓄積時間（即ち露出時間）は、ＣＣＤ制御部５９から与えられる電子シャッタ駆動信号によって決定される。
【００２５】
ＣＣＤ５８が出力する画像信号は、アナログ信号処理部６０に入力される。このアナログ信号処理部６０は、画像信号のノイズ除去を行う相関２重サンプリング回路（ＣＤＳ）と、画像信号のゲイン調整を行うオートゲインコントローラ（ＡＧＣ）と、画像信号をデジタル画像データに変換するＡ／Ｄコンバータ（ＡＤＣ）とからなる。そしてデジタル画像データは、画素毎にＲＧＢの濃度値を持つＣＣＤ−ＲＡＷデータである。
【００２６】
タイミングジェネレータ７２は、タイミング信号を発生させるものであり、このタイミング信号がシャッタ駆動部５７、ＣＣＤ制御部５９、アナログ信号処理部６０に入力されて、シャッタボタン１９の操作と、シャッタ５６の開閉、ＣＣＤ５８の電荷取り込み、アナログ信号処理６０の処理の同期が取られる。フラッシュ制御部７３は、フラッシュ２４の発光動作を制御する。
【００２７】
画像入力コントローラ６１は、上記アナログ信号処理部６０から入力されたＣＣＤ−ＲＡＷデータをフレームメモリ６８に書き込む。このフレームメモリ６８は、画像データに対して後述の各種デジタル画像処理（信号処理）を行う際に使用する作業用メモリであり、例えば、一定周期のバスクロック信号に同期してデータ転送を行うＳＤＲＡＭ（Synchronous Dynamic Random Access Memory）から構成されている。
【００２８】
表示制御部７１は、フレームメモリ６８に格納された画像データをスルー画としてモニタ１８に表示させるためのものであり、例えば、輝度（Ｙ）信号と色（Ｃ）信号を一緒にして１つの信号としたコンポジット信号に変換して、モニタ１８に出力する。スルー画は、撮影モードが選択されている間、所定間隔で取得されてモニタ１８に表示される。また、表示制御部７１は、外部記録メディア７０に記憶され、メディア制御部６９によって読み出された画像ファイルに含まれる画像データに基づいた画像をモニタ１８に表示させる。
【００２９】
ＡＦ処理部（合焦位置決定手段）６２は、後述する顔検出部（対象物検出手段）６５によって画像データから検出された人物の顔や目の検出結果や測距結果に応じて合焦位置を決定する。合焦位置の具体的な決定方法としては、検出された顔までの距離を測距センサ等（不図示）を用いて測定し、測定結果に基づいて合焦位置を決定する方法、測距センサを使わずに顔の大きさや目の間隔等から顔までの距離を算出して合焦位置を決定する方法等がある。これらの方法はアクティブ方式として一般的に用いられている方法である。他に、フォーカスレンズ２０ａを動作範囲内でステップ駆動させて移動させ、移動毎に合焦評価値を算出し、合焦評価値のピーク値のうち検出された顔に相当するピーク値に対応する位置に基づいて合焦位置を決定してもよい（コントラスト検出方式）。また、ＡＦ処理部６２は検出された顔ごとに合焦位置を決定し、後述するメモリ８１の撮影条件記憶領域８１ａに記憶する。
【００３０】
ＡＥ／ＡＷＢ処理部６３は、顔検出部６５によって画像データから検出された人物の顔や目の検出結果や被写体輝度等から絞り値データ、シャッタ速度データ等の露出条件を決定すると共に、ホワイトバランスを調整する。ＡＥ／ＡＷＢ処理部６３は検出された顔ごとに絞り値データ及びシャッタ速度データを決定し、後述するメモリ８１の撮影条件記憶領域８１ａに記憶する。
【００３１】
顔検出部６５は、フレームメモリ６８に格納された画像データから人物の顔や目を検出するためのものである。本実施の形態では、人物の顔を検出するものとして以下説明するが、人物の目を検出するようにしてもよい。また動物の顔や目等を検出するようにしてもよい。
【００３２】
画像処理部６４は、本画像の画像データに対してガンマ補正、シャープネス補正、コントラスト補正等の画質補正処理を施すと共に、ＣＣＤ−ＲＡＷデータを輝度信号であるＹデータと、青色色差信号であるＣｂデータ及び赤色色差信号であるＣｒデータとからなるＹＣデータに変換するＹＣ処理を行う。この本画像とは、シャッタボタン１９が押下されることによってＣＣＤ５８から画像信号が出力され、アナログ信号処理部６０、画像入力コントローラ６１経由でフレームメモリ６８に格納された画像データに基づいた画像である。本画像の画素数の上限はＣＣＤ５８の画素数によって決定されるが、例えば、ユーザが設定可能な画質設定（ファイン、ノーマル等の設定）により、記録画素数を変更することができる。一方、スルー画やプレ画像の画素数は本画像より少なくてもよく、例えば、本画像の１／１６程度の画素数で取り込まれてもよい。
【００３３】
圧縮／伸長処理部６７は、画像処理部６４によって画質補正等の処理が行われた画像データに対して、例えばＪＰＥＧ等の圧縮形式で圧縮処理を行って、画像ファイルを生成する。この画像ファイルには、各種データ形式に基づいて付帯情報が付加される。またこの圧縮／伸長処理部６７は、再生モードにおいては外部記録メディア７０から圧縮された画像ファイルを読み出し、伸長処理を行う。伸長後の画像データは表示制御部７１に出力され、表示制御部７１は画像データに基づいた画像をモニタ１８に表示する。
【００３４】
メディア制御部６９は、図２におけるメディアスロット２６に相当し、外部記録メディア７０に記憶された画像ファイル等の読み出し、又は画像ファイルの書き込みを行う。
【００３５】
メモリ８１は、撮影に関する各種データを記憶するための読み書き可能な記憶手段である。メモリ８１は、撮影条件記憶領域８１ａと、画像データ記憶領域（記憶手段、保存手段）８１ｂとを備える。図４は撮影条件記憶領域８１ａのデータ構成の一例を示した図である。撮影条件記憶領域８１ａにはＡＦ処理部６２及びＡＥ／ＡＷＢ処理部６３において決定された絞り値データ、シャッタ速度データ及び合焦位置データ等が検出された顔ごとに記憶される。または顔が検出されなければ予め決定されたＡＥ領域及びＡＦ領域に基づいて合焦位置、絞り値データ及びシャッタ速度データが決定され、これらが対応付けて記憶される。画像データ記憶領域８１ｂは、撮影条件記憶領域８１ａに記憶された合焦位置、絞り値データ及びシャッタ速度データに基づいて撮影された画像データを記憶する。
【００３６】
ＣＰＵ（撮影制御手段）７５は、各種ボタン、レバー、スイッチの操作や各機能ブロックからの信号に応じて、デジタルカメラ１の本体各部を制御する。またデータバス７６は、画像入力コントローラ６１、各種処理部６２〜６７、フレームメモリ６８、各種制御部６９〜７１、メモリ８１及びＣＰＵ７５に接続されており、このデータバス７６を介して各種信号、データの送受信が行われる。
【００３７】
次に、デジタルカメラ１の簡単な一連の流れを図５のフローチャートを用いて説明する。まずＣＰＵ７５は、動作モードスイッチ１１の設定に従って、動作モードが撮影モードであるか再生モードであるか判別する（ステップＳ１）。再生モードの場合（ステップＳ１；再生）、再生処理が行われる（ステップＳ９）。この再生処理は、メディア制御部６９が外部記録メディア７０に記憶された画像ファイルを読み出し、画像ファイルに含まれる画像データに基づいた画像をモニタ１８に表示させるための処理である。再生処理が終了したら、ＣＰＵ７５はデジタルカメラ１の電源スイッチ２２によってオフ操作がなされたか否かを判別し（ステップＳ８）、オフ操作がなされていたら（ステップＳ８；ＹＥＳ）、デジタルカメラ１の電源をオフし、処理を終了する。
【００３８】
一方、ステップＳ１において動作モードが撮影モードであると判別された場合（ステップＳ１；撮影）、ＣＰＵ７５はスルー画の表示制御を行う（ステップＳ２）。スルー画の表示とは、前述のプレ画像をモニタ１８に表示する処理である。次に、ＣＰＵ７５はシャッタボタン１９が半押しされたか否かを判別する（ステップＳ３）。半押しがされていない場合（ステップＳ３；ＮＯ）、ＣＰＵ７５はステップＳ２の処理を繰り返す。半押しされた場合（ステップＳ３；ＹＥＳ）、ＣＰＵ７５は撮影条件設定処理へ処理を移行する（ステップＳ４）。撮影条件設定処理については、後に詳しく説明する。
【００３９】
撮影条件設定処理が行われると、シャッタボタン１９の半押しが解除されたか否かが判別される（ステップＳ５）。半押しが解除された場合は（ステップＳ５；ＹＥＳ）、ＣＰＵ７５はステップＳ２へ処理を移行する。半押しが解除されていない場合は（ステップＳ５；ＮＯ）、ＣＰＵ７５はシャッタボタン１９が全押しされたか否かを判別する（ステップＳ６）。全押しされていない場合は（ステップＳ６；ＮＯ）ステップＳ５へ処理を移行する。全押しされた場合は（ステップＳ６；ＹＥＳ）ＣＰＵ７５は撮影処理を行う（ステップＳ７）。撮影処理については、後に詳しく説明する。
【００４０】
撮影処理が終了するとＣＰＵ７５は電源スイッチ２２によってオフ操作がなされたか否かを判別し（ステップＳ８）、オフ操作がなされていたら（ステップＳ８；ＹＥＳ）、デジタルカメラ１の電源をオフし、処理を終了する。オフ操作がなされていなかったら（ステップＳ８；ＮＯ）、ステップＳ１へ処理を移行する。
【００４１】
図６は撮影条件設定処理の流れを示したフローチャートである。まず顔検出部６５はＣＣＤ５８から出力された画像データより顔を検出し（ステップＳ１１）、顔が検出されたら（ステップＳ１２；ＹＥＳ）、ＡＥ／ＡＷＢ処理部６３は検出された顔とその顔の周辺の領域をＡＥ領域として絞り値データ及びシャッタ速度データ等の露出条件を決定し、メモリ８１の撮影条件記憶領域８１ａに検出された顔と対応付けて記憶する（ステップＳ１３）。続いてＡＦ処理部６２は検出された顔に対する合焦位置を決定し、同様に撮影条件記憶領域８１ａに検出された顔と対応付けて記憶する（ステップＳ１４）。
【００４２】
合焦位置の決定の仕方は、検出された顔までの距離を測距センサ等を用いて測定し、測定結果に基づいて決定してもよい。また、測距センサを使わずに顔の大きさや目の間隔等から顔までの距離を算出して合焦位置を決定してもよい。他に、フォーカスレンズ２０ａを動作範囲内でステップ駆動させて移動させ、移動毎に合焦評価値を算出し、合焦評価値のピーク値のうち検出された顔に相当するピーク値に対応する位置に基づいて合焦位置を決定してもよい。
【００４３】
他に検出された顔がある場合は（ステップＳ１５；ＹＥＳ）、ＣＰＵ７５はステップＳ１３へ処理を移行し、検出された顔がない場合は（ステップＳ１５；ＮＯ）、撮影条件設定処理を終了する。
【００４４】
一方、画像データから顔が検出されなかった場合は（ステップＳ１２；ＮＯ）、ＡＥ／ＡＷＢ処理部６３はＡＥ領域を予め設定された領域に設定して露出条件を決定して撮影条件記憶領域８１ａに記憶し（ステップＳ１６）、更に合焦位置を決定して記憶する（ステップＳ１７）。そして撮影条件設定処理を終了する。
【００４５】
次に、図７に示した撮影処理の流れについて説明する。まずＣＰＵ７５は撮影条件記憶領域８１ａから対応付けて記憶された絞り値データ、シャッタ速度データ及び合焦位置を読み出して、フォーカスレンズ駆動部５１、絞り駆動部５５及びシャッタ駆動部５７に各データを出力する。そしてシャッタ５６を開閉して撮影を行い、得られた画像データを画像データ記憶領域８１ｂに記憶する（ステップＳ２１）。
【００４６】
他に記憶された撮影条件及び合焦位置があれば（ステップＳ２２；ＹＥＳ）、ＣＰＵ７５はステップＳ２１の処理を繰り返す。なければ（ステップＳ２２；ＮＯ）、ＣＰＵ７５は画像データ記憶領域８１ｂに記憶された画像データに基づいてモニタ１８に画像を表示する指示信号を表示制御部７１に出力する（ステップＳ２３）。このときのモニタ１８の表示例を図８（ａ）に示す。例えば３組の合焦位置、絞り値データ及びシャッタ速度データが撮影条件記憶手段８１ａに記憶されている場合、ステップＳ２１の処理は各合焦位置と各露出条件に応じて３回繰り返され、画像データ記憶手段８１ｂには３枚分の画像データが記憶される。そして撮影によって取得された画像データに基づいた画像９１ａ〜９１ｃがモニタ１８に表示される。便宜上、３枚の画像９１ａ〜９１ｃは同一の画像となっているが、実際にはそれぞれ撮影条件が異なるため、露出や合焦位置が微妙に異なる画像となっている。
【００４７】
モニタ１８に表示された画像９１ａ〜９１ｃの何れか１つの周囲にはカーソル枠９００が表示される。ユーザは左右ボタン１４を操作して保存記録したい画像にカーソル枠９００を移動させ、メニュー／ＯＫボタン１２を押下する。例えば画像９１ａにカーソル枠９００が位置するときにメニュー／ＯＫボタン１２が押下されると（ステップＳ２４；ＹＥＳ）、ＣＰＵ７５は選択された画像９１ａのみをモニタ１８に表示するための指示信号を表示制御部７１に出力する（ステップＳ２５）。そしてモニタ１８内に選択された画像９１ａを保存記録するか否かをユーザに対して選択させるためのメッセージを表示する。カーソル９２が“ＹＥＳ”の位置にあるときにメニュー／ＯＫボタン１２が押下されたら（ステップＳ２６；ＹＥＳ）、ＣＰＵ７５は画像９１ａに対応する画像データを保存データとして登録し、画像９１ｂ及び９１ｃに対応する画像データの削除等を行う（ステップＳ２７）。又は、画像９１ａに対応する画像データを画像データ記憶領域８１ｂから読み出して、メディア制御部６９を介して外部記録メディア７０に記録するようにしてもよい。
【００４８】
一方、ステップＳ２４（モニタ１８の表示例が図８（ａ）のとき）において左右ボタン１４及びメニュー／ＯＫボタン１２以外のボタン操作が行われた場合（ステップＳ２４；ＮＯ、ステップＳ２８；ＹＥＳ）、ＣＰＵ７５は撮影条件記憶領域８１ａ及び画像データ記憶領域８１ｂの記憶内容をクリア（消去）して（ステップＳ２９）、撮影処理を終了する。また、ステップＳ２６（モニタ１８の表示例が図８（ｂ）のとき）においてカーソル９２が“ＮＯ”の位置にあるときにメニュー／ＯＫボタン１２が押下されたら（ステップＳ２６；ＮＯ）、ＣＰＵ７５はステップＳ２３へ処理を移行する。
【００４９】
このように、検出された顔毎に合焦位置及び撮影条件を決定し、各合焦位置及び各撮影条件に従って顔毎に撮影を行い、撮影により得られた画像データの示す画像を見ながら保存記録する画像をユーザが選択可能なようにすることによって、ユーザは好みの画像を保存記録することができる。具体的には、例えば複数の被写体を画角に入れて撮影する場合に、ユーザは特定の被写体に最もピントが合っており最適露出を示す画像を選択して保存記録することができる。
【００５０】
〔第２の実施の形態〕
第１の実施の形態における撮影条件設定処理では、検出された顔に対する合焦位置の決定の仕方について、検出された顔までの距離に基づいて決定する、顔の大きさや目の間隔等から顔までの距離を算出して合焦位置を決定する、フォーカスレンズ２０ａを動作範囲内でステップ駆動させて移動させ、移動毎に合焦評価値を算出し、合焦評価値のピーク値のうち検出された顔に相当するピーク値に対応する位置に基づいて合焦位置を決定する、等の何れの方法でもよいこととして説明した。第２の実施の形態では、合焦位置の決定の仕方について具体的に示した撮影条件設定処理を採用した撮影装置について説明する。尚、デジタルカメラ１の外観、機能ブロック図、撮影条件記憶領域８１ａのデータ構成、デジタルカメラ１の一連の動作を説明するためのフローチャート、撮影処理の流れを説明するためのフローチャート、及びモニタ１８の表示例は第１の実施の形態で説明したものと同一であるため、説明を省略する。
【００５１】
図９は、第２の実施の形態における撮影条件設定処理の流れを示したフローチャートである。まず顔検出部６５はＣＣＤ５８から出力された画像データより顔を検出し（ステップＳ３１）、顔が検出されたら（ステップＳ３２；ＹＥＳ）、顔までの距離を検出する。顔までの距離の検出方法としては、測距センサを用いる方法や、顔の大きさや目の間隔から距離を算出する方法等が挙げられる。そして、ＡＥ／ＡＷＢ処理部６３は検出された顔とその顔の周辺の領域をＡＥ領域として絞り値データ及びシャッタ速度データ等の露出条件を決定し、メモリ８１の撮影条件記憶領域８１ａに検出された顔と対応付けて記憶する（ステップＳ３３）。
【００５２】
他に検出された顔がある場合は（ステップＳ３４；ＹＥＳ）、ＣＰＵ７５はステップＳ３３へ処理を移行し、検出された顔がない場合（ステップＳ３４；ＮＯ）、ＡＦ処理部６２は検出された顔のうち、最も近い顔より所定距離至近側の位置から、最も遠い顔より所定距離無限遠側の位置までの範囲についてフォーカスレンズ２０ａをステップ駆動で移動させて合焦評価値を算出し（ステップＳ３５）、算出された合焦評価値のピーク値と各顔の位置との対応付けを行うことにより、各顔の合焦位置を決定する（ステップＳ３６）。
【００５３】
図１０は、顔の位置と合焦評価値の算出範囲について示した図である。例えば人物９５、９６及び９７を被写体として撮影する際、ＡＦ処理部６２は最も近い人物９５の位置Ａより所定距離Ｘほど至近側の位置Ｃから、最も遠い人物９７の位置Ｂより所定距離Ｘほど無限遠側の位置Ｄまでについて合焦評価値の算出を行う。つまり、位置Ｃから位置Ｄまでの範囲について合焦評価値の算出を行う。
【００５４】
一般的には、顔の位置に関わらず、単に至近側から無限遠側の範囲について合焦評価値を算出する方法を採用する場合が多いが、このように顔が検出された範囲のみについて合焦評価値の算出を行うことにより、合焦位置の決定にかかる時間を短縮することができる。更にフォーカスレンズ２０ａのステップ駆動を最小限にすることができるため、合焦位置の決定にかかる消費電力を抑えることができる。
【００５５】
一方、画像データから顔が検出されなかった場合は（ステップＳ３２；ＮＯ）、ＡＥ／ＡＷＢ処理部６３はＡＥ領域を予め設定された領域に設定して露出条件を決定して撮影条件記憶領域８１ａに記憶し（ステップＳ３７）、更に合焦位置を決定して記憶する（ステップＳ３８）。そして撮影条件設定処理を終了する。
【００５６】
このように、顔が検出された範囲のみについて合焦評価値の算出を行うことにより、合焦位置の決定にかかる時間を短縮させ、更に消費電力を抑えることができる。
【図面の簡単な説明】
【００５７】
【図１】第１の実施の形態におけるデジタルカメラの背面図
【図２】第１の実施の形態におけるデジタルカメラの前面図
【図３】第１の実施の形態におけるデジタルカメラの機能ブロック図
【図４】第１の実施の形態における撮影条件記憶領域のデータ構成を示す図
【図５】第１の実施の形態におけるデジタルカメラの一連の動作を説明するためのフローチャート
【図６】第１の実施の形態における撮影条件設定処理の流れを説明するためのフローチャート
【図７】第１の実施の形態における撮影処理の流れを説明するためのフローチャート
【図８】第１の実施の形態におけるモニタの表示例を示す図
【図９】第２の実施の形態における撮影条件設定処理の流れを説明するためのフローチャート
【図１０】合焦評価値の算出範囲を説明するための図
【符号の説明】
【００５８】
１    デジタルカメラ
１１  動作モードスイッチ
１２  メニューボタン
１３  ズーム／上下レバー
１４  左右ボタン
１５  ＢＡＣＫ（戻り）ボタン
１６  表示切替ボタン
１７  ファインダ
１８  モニタ
１９  シャッタボタン
２０  撮像レンズ
２１  レンズカバー
２２  電源スイッチ
２３  ファインダ窓
２４  フラッシュライト
２５  セルフタイマーランプ
２６  メディアスロット
【図１】
2007311861.tif 000003
【図２】
2007311861.tif 000004
【図３】
2007311861.tif 000005
【図４】
2007311861.tif 000006
【図５】
2007311861.tif 000007
【図６】
2007311861.tif 000008
【図７】
2007311861.tif 000009
【図８】
2007311861.tif 000010
【図９】
2007311861.tif 000011
【図１０】
2007311861.tif 000012